(57)【要約】【課題】顔の表面を挟み込みながら、顔の皮膚を持ち上げてマッサージすることが可能で、しかも使い勝手のよいマッサージ用器具を提供する。【解決手段】手で把持する本体１と、本体１の上部に設けられた一対の支軸２と、各支軸２に回転自在に支持された一対の球状部材３とを備える。一対の支軸２は、本体１を上部が上になるように鉛直姿勢とした状態において、各支軸２同士が所定角度αを成し、かつ、鉛直方向Ｖに対する各支軸２の角度βが鋭角となるように、斜め下方向に傾いて設けられている。【選択図】図６
2012161517.tif 000002
【特許請求の範囲】
【請求項１】
手で把持する本体と、
前記本体の上部に設けられた一対の支軸と、
前記各支軸に回転自在に支持された一対の球状部材と、を備え、
前記一対の支軸は、前記本体を前記上部が上になるように鉛直姿勢とした状態において、各支軸同士が所定角度αを成し、かつ、鉛直方向に対する各支軸の角度βが鋭角となるように、斜め下方向に傾いて設けられている、
ことを特徴とするマッサージ用器具。
【請求項２】
請求項１に記載のマッサージ用器具において、
前記角度αは、６０°≦α≦９０°の範囲の角度であり、前記角度βは、５５°≦β≦７０°の範囲の角度であることを特徴とするマッサージ用器具。
【請求項３】
請求項１または請求項２に記載のマッサージ用器具において、
前記一対の球状部材の間隔ｄが、１９ｍｍ≦ｄ≦２１ｍｍの範囲の距離であることを特徴とするマッサージ用器具。
【請求項４】
請求項１ないし請求項３のいずれかに記載のマッサージ用器具において、
前記本体の下部に、一部が本体から露出した状態で回転自在に保持されたマッサージ用の球体を備えていることを特徴とするマッサージ用器具。
【請求項５】
請求項１ないし請求項４のいずれかに記載のマッサージ用器具において、
前記本体の一方または他方の端部に、本体から突出する身体部位押圧用の突出部材を備えていることを特徴とするマッサージ用器具。
【発明の詳細な説明】
【技術分野】
【０００１】
本発明は、身体の各部位をマッサージするマッサージ用器具に関し、主として、顔のマッサージに用いるマッサージ用器具に関するものである。
【背景技術】
【０００２】
従来、本体を手で把持して身体の各部位に対しマッサージを行うハンディタイプのマッサージ用器具等が、各種提案されている（例えば、特許文献１〜６）。
【先行技術文献】
【特許文献】
【０００３】
【特許文献１】実用新案登録第３１５９２５５号公報
【特許文献２】実用新案登録第３１５４３６６号公報
【特許文献３】実用新案登録第３１５１５９８号公報
【特許文献４】実用新案登録第３１３１４９４号公報
【特許文献５】特許第４４６１３６３号公報
【特許文献６】特許第３０８２０６５号公報
【発明の概要】
【発明が解決しようとする課題】
【０００４】
顔に対する効果的なマッサージの方法としては、両手の手のひらで顔の表面（皮膚）を挟んだ状態のまま、手のひらを顔の表面で滑らせて、頭頂部側へ顔を持ち上げていく（引っ張り上げていく）方法がある。この方法は、術者の手のひらを用いるため、従来、マッサージ師等による手技でのみ実現されてきた。
【０００５】
一方、上記特許文献１〜３で提案されている器具などは、ローラや球体等の回転部材を１つまたは複数設けて、この回転部材で顔の表面を単に撫でたり、回転部材を所定の角度で顔の輪郭に当ててマッサージしたりするようなものである。また、特許文献４で提案されているマッサージ具は、本体から左右に枝分かれした一対のローラで、顔を両側から挟み込みながらマッサージを行うものである。さらに、特許文献５や特許文献６で提案されている器具は、主として顔以外の部位に適用されるものである。
【０００６】
このため、特許文献１〜６で提案されているマッサージ用器具等では、顔の表面を挟み込みながら、顔の皮膚を持ち上げてマッサージすることが困難である。よって、上述した手技のような顔のマッサージ効果を得ることが出来ない。
【０００７】
また、仮に、特許文献６に記載されているような、２つのローラを左右の腕の先端部に外広がりに取り付けた構造を転用して、顔の表面の挟み込みが可能なマッサージ用器具を実現したとしても、ローラを設けた側が上になるようにマッサージ用器具を鉛直姿勢にすると、当該ローラを支持する腕が斜め上方向を向いた状態となる。このため、ローラを設けた側が下になるように、上下を逆にしてマッサージ用器具を持ち直さなければ、当該ローラを顔の表面に的確に当てることが難しく、使い勝手が悪いという問題がある。
【０００８】
本発明は、このような課題を解決するものであって、その目的とするところは、顔の表面を挟み込みながら、顔の皮膚を持ち上げてマッサージすることが可能で、しかも使い勝手のよいマッサージ用器具を提供することである。
【課題を解決するための手段】
【０００９】
本発明のマッサージ用器具は、手で把持する本体と、本体の上部に設けられた一対の支軸と、各支軸に回転自在に支持された一対の球状部材とを備えている。  そして、一対の支軸は、本体を上部が上になるように鉛直姿勢とした状態において、各支軸同士が所定角度αを成し、かつ、鉛直方向に対する各支軸の角度βが鋭角となるように、斜め下方向に傾いて設けられている。
【００１０】
このようにすることで、球状部材が上になるように本体を把持した状態で、斜め下方向を向いた一対の球状部材を、顔の表面に的確に当てることが出来る。そして、本体を下から上へ押し上げることにより、顔の表面で回転する一対の球状部材によって、顔の表面を挟み込みながら、顔の皮膚を持ち上げてマッサージすることが出来る。また、球状部材が下になるように、上下を逆にしてマッサージ用器具を把持し直す必要が無いため、使用者の使い勝手が良くなる。
【００１１】
上記マッサージ用器具において、角度αは、６０°≦α≦９０°の範囲の角度であることが望ましく、角度βは、５５°≦β≦７０°の範囲の角度であることが望ましい。
【００１２】
上記マッサージ用器具において、一対の球状部材の間隔ｄは、１９ｍｍ≦ｄ≦２１ｍｍの範囲の距離であることが望ましい。
【００１３】
角度α、βや間隔ｄを上記のように設定することで、一対の球状部材を、良好な状態で肌に当てることが出来るため、マッサージ効果を高めることが出来る。
【００１４】
上記マッサージ用器具において、本体の下部に、一部が本体から露出した状態で回転自在に保持されたマッサージ用の球体を備えてもよい。
【００１５】
上記マッサージ用器具において、本体の一方または他方の端部に、本体から突出する身体部位押圧用の突出部材を備えてもよい。
【００１６】
このようなマッサージ用の球体や、身体部位押圧用の突出部材を設けることで、顔のマッサージに加えて、腕や足等へのマッサージや、肩等への指圧も行うことが出来る。このため、１台のマッサージ用器具で、美顔効果以外にも、痩身効果や肩こりをほぐす等の効果を得ることができる。
【発明の効果】
【００１７】
本発明によれば、顔の表面を挟み込みながら、顔の皮膚を持ち上げてマッサージすることが可能で、しかも使い勝手のよいマッサージ用器具を提供することができる。
【図面の簡単な説明】
【００１８】
【図１】本発明の一実施形態であるマッサージ用器具の正面図である。
【図２】図１に示したマッサージ用器具の背面図である。
【図３】図１に示したマッサージ用器具の平面図である。
【図４】図１に示したマッサージ用器具の底面図である。
【図５】図１に示したマッサージ用器具の右側面図である。
【図６】球状部材の取付け角度を説明するための図である。
【図７】図１に示したマッサージ用器具の使用例を示した図である。
【図８】マッサージ用の球体の保持構造を示した図である。
【発明を実施するための形態】
【００１９】
以下、本発明の実施形態につき、図面を参照しながら説明する。以下の図では、  同一部分または対応する部分に同一符号を付してある。また、各図において、矢印Ｘは、マッサージ用器具１００の長さ方向を示している（以下、「長さ方向Ｘ」と記載）。矢印Ｙは、マッサージ用器具１００の幅方向を示している（以下、「幅方向Ｙ」と記載）。矢印Ｚは、マッサージ用器具１００の厚み方向を示している（以下、「厚み方向Ｚ」と記載）。矢印Ｖは、鉛直方向を示している（以下、「鉛直方向Ｖ」と記載）。
【００２０】
図１，図２，図５では、マッサージ用器具１００の長さ方向Ｘと、鉛直方向Ｖが同一方向である。すなわち、図１，図２，図５は、マッサージ用器具１００の鉛直姿勢の状態を示した図である。また、これらの図においては、後述する本体１の上部１ａが上になり、本体１の下部１ｂが下になっている。
【００２１】
マッサージ用器具１００は、手で把持する本体１と、本体１の上部１ａに設けられた一対の支軸２と、一対の支軸２に回転自在に支持された一対の球状部材３を備えている。
【００２２】
このマッサージ用器具１００は、主に、顔のマッサージ用として使用される（図７参照）。マッサージ用器具１００を用いて顔のマッサージを行う場合は、本体１の上部１ａが上になるように手で把持し、顔の表面（皮膚）を挟み込むように、一対の球状部材３を顔の表面、例えば、顎の輪郭ＪＬに沿って当てる。そして、本体１の下部１ｂから上部１ａへ向かう方向へ当該本体１を動かし、一対の球状部材３を顔の表面で回転させることで、顔のマッサージを行う。
【００２３】
ここで、上述の本体１は、例えば、ウォールナット等の木材を加工した棒状の把持部材から成る。
【００２４】
球状部材３は、磁性粉やマイナスイオン発生物質を含む球体から成る。球状部材３から発生する磁気やマイナスイオンの作用によって、顔のマッサージを通して美顔効果をより高めることができる。顔の表面に当たる球状部材３の面積をより多くするために、当該球状部材３は、３０〔ｍｍ〕（ミリメートル）の直径を有している。尚、球状部材３の材質としては、セラミックス、合成樹脂、金属、木材など、各種のものを用いることができる。
【００２５】
支軸２の一端は、球状部材３に形成されている嵌入孔（図示省略）に嵌入され、当該球状部材３を回転自在に支持する。支軸２の他端は、本体１の上部１ａに形成されている嵌入孔（図示省略）に嵌入され、当該本体１に対して抜脱不能に固定される。詳しくは、支軸２は、マッサージ用器具１００の鉛直姿勢状態において、斜め下方向に傾いて設けられている（図１，図２，図５参照）。
【００２６】
さらに詳しくは、図６に示すように、一対の支軸２は、各支軸２同士が所定角度α（図６の（ｂ）参照）を成し、かつ、各支軸２が厚み方向Ｚに対して左右対称に末広がり状態となるように、本体１に設けられている。なお、上記の角度αは、各支軸２を含む平面上での角度である。また、一対の球状部材３は、Ｙ方向に間隔ｄを隔てて離間している。
【００２７】
ここで、球状部材３を顔の表面に的確に当てるとともに、顔の皮膚を挟み込みやすくするための角度αは、６０°≦α≦９０°の範囲の角度である。より望ましくは、角度αは、６５°≦α≦７０°の範囲の角度であり、最も望ましい角度α（最適値）は、α＝６８°である。
【００２８】
また、球状部材３を顔の表面に的確に当てるとともに、顔の皮膚を挟み込みやすくするための球状部材３の間隔ｄは、１９〔ｍｍ〕≦ｄ≦２１〔ｍｍ〕の範囲の距離である。最も望ましい間隔ｄの値は、ｄ＝２０〔ｍｍ〕である。
【００２９】
また、各支軸２は、長さ方向Ｘ、つまり、鉛直方向Ｖに対する角度β（図６の（ｃ）参照）が鋭角となるように（すなわち、β＜９０°）、下向きに傾いている。
【００３０】
ここで、球状部材３を顔の表面に的確に当てるとともに、顔の皮膚を挟み込みやすくするための角度βは、５５°≦β≦７０°の範囲の角度である。より望ましくは、角度βは、５８°≦β≦６２°の範囲の角度であり、最も望ましい角度β（最適値）は、β＝６０°である。
【００３１】
このように、各支軸２は、図６の（ｂ）および図６の（ｃ）に図示された方向にそれぞれ傾くことで、図６の（ａ）に図示された方向、つまり、斜め下方向に傾いている。
【００３２】
上述の球状部材３の他に、マッサージ用器具１００は、本体１の下部１ｂに、マッサージ用の球体６を備えている（図１、図５参照）。この球体６は、一部が本体１から露出した状態で回転自在に保持されている。このため、本体１を手で把持し、球体６を足や腕などの表面に当てて転動させることで、身体の各部位のマッサージを行うことが出来る。
【００３３】
ここで、本体１の下部１ｂにおける球体６の保持構造については、以下のとおりである。
【００３４】
本体１の下部１ｂには、球体６を収容するためのケース６１（図８の（ｂ）参照）が埋設されている。このケース６１には、蓋６２が着脱自在に取り付けられる。そして、蓋６２の中央部には、球体６の直径よりも若干短い孔径の貫通孔６３が設けられている。このため、ケース６１内に球体６を収容し、蓋６２でケース６１を閉蓋すると、球体６は、貫通孔６３から一部が露出した状態で、ケース６１内で回転自在に保持される（図８の（ａ）参照）。
【００３５】
尚、上述した球体６は、例えば、天然石を球体状に成形したものである。また、球体６の直径は、例えば、３０〔ｍｍ〕である。
【００３６】
さらに、マッサージ用器具１００は、本体１の下部１ｂ側の端部１ｄに、突出部材７を備えている（図１、図４参照）。この突出部材７は、例えば、球状部材３を、直径１０〔ｍｍ〕程度にまで小型にしたものであり、一部が本体１の端部１ｄから露出した状態で、当該本体１に固定されている。このため、本体１を手で把持し、突出部材７を経穴（つぼ）等の体表の特定の部位に押し当てることで、身体の局所的なマッサージを行うことが出来る。
【００３７】
本実施形態では、上記のように、本体１に設けられた一対の支軸２は、マッサージ用器具１００の鉛直姿勢状態において、各支軸２同士が所定角度αを成し、かつ、鉛直方向Ｖに対する各支軸２の角度βが鋭角となるように、斜め下方向に傾いて設けられている（図６の（ａ）参照）。そして、角度α，βおよび間隔ｄは、球状部材３を顔の表面に的確に当てるとともに、顔の皮膚を挟み込みやすくするための最適値に設定されている。
【００３８】
このため、球状部材３が上になるように本体１を把持した状態で、球状部材３を顔の表面に的確に当てることが出来る。そして、本体１の下部１ｂから上部１ａへ向かう方向へ当該本体１を動かすと、顔の表面で回転する一対の球状部材３によって、顔の表面を挟み込みながら、顔の皮膚を持ち上げてマッサージすることが出来る。また、このような操作を行うにあたって、球状部材３が下になるようにマッサージ用器具１００を把持し直す必要が無いため、使用者の使い勝手が良くなる。
【００３９】
また、本実施形態では、本体１の下部１ｂに、一部が本体１から露出した状態で回転自在に保持されたマッサージ用の球体６を備えているため、本体１を手で把持し、球体６を足や腕などの表面に当てて転動させることで、顔以外の身体の各部位のマッサージも行うことが出来る。なお、球体６を収容したケース６１の蓋６２は、着脱自在となっているので、蓋６２を取り外して球体６を交換することができる。
【００４０】
さらに、本実施形態では、本体１の下部１ｂ側の端部１ｄに、球状部材３を小形にした突出部材７を備えている。このため、突出部材７を経穴（つぼ）等の体表の特定の部位に押し当てることで、身体の局所的なマッサージも行うことが出来る。
【００４１】
本発明は、上述した以外にも種々の実施形態を採用することができる。たとえば、上記実施形態では、本体１の材質としてウォールナット等の木材を用いたが、木材の代わりに合成樹脂、あるいは、金属を用いてもよい。
【００４２】
また、上記実施形態では、球状部材３を、直径が３０〔ｍｍ〕の球体としたが、球状部材３の大きさ（直径）は、これに限定されない。例えば、球状部材３の直径は２５〔ｍｍ〕や、３５〔ｍｍ〕などであってもよい。
【００４３】
また、上記実施形態では、マッサージ用の球体６を、球状の天然石としたが、これに限らず、球状部材３と同じ材質のものを用いても良いし、その他の材質から成る球体を用いても良い。
【００４４】
さらに、上記実施形態では、本体１の下部１ｂ側の端部１ｄに、経穴（つぼ）等の体表の特定の部位に押し当てる突出部材７を設けたが、この突出部材７は、本体１の上部１ａ側の端部１ｃに設けても良い。
【符号の説明】
【００４５】
１        本体
１ａ      本体の上部
１ｂ      本体の下部
１ｃ      本体の上部側の端部
１ｄ      本体の下部側の端部
２        支軸
３        球状部材
６        マッサージ用の球体
７        突出部材
１００    マッサージ用器具
【図１】
2012161517.tif 000003
【図２】
2012161517.tif 000004
【図３】
2012161517.tif 000005
【図４】
2012161517.tif 000006
【図５】
2012161517.tif 000007
【図６】
2012161517.tif 000008
【図７】
2012161517.tif 000009
【図８】
2012161517.tif 000010